(57)【要約】【課題】操作卓を小型軽量化し、さらにコンピュータ本体との通信接続を簡略化し、しかも多様なインタフェースを実装できるようにする。【解決手段】操作卓１０１から操作卓Ａ用コンピュータ２７を遠隔操作する監視制御システムにおいて、操作卓側及びコンピュータ室側にはモニタ、キーボード、マウス信号をＶＮＣプロトコルに変換・伝送するＫＶＭ機能付きスイッチングハブ１１、２５を実装し、操作卓とコンピュータ室間で表示／操作情報（監視制御情報）を伝送する。各スイッチングハブのステレオ・ジャックにはＶｏＩＰ機能を実装し、警報音伝送を行えるようにする。ステレオ・ジャック及び外部機器接続用のＵＳＢ  Ｉ／Ｆは、ＩＰアドレスにより両スイッチングハブ間の各Ｉ／Ｆが１対１伝送となるようＫＶＭ機能付きスイッチングハブで設定できるようにする。【選択図】図１
2008245004.tif 000002
【特許請求の範囲】
【請求項１】
監視制御システムのコンピュータ本体を、コンピュータ本体とは離れた場所にある操作卓上のキーボード、モニタ、マウスで遠隔操作する構成において、前記操作卓側にはＫＶＭ機能付き（ＶＮＣプロトコル変換機能付き）スイッチングハブを設け、コンピュータ本体側にはＫＶＭ機能付き（ＶＮＣプロトコル変換機能なし）スイッチングハブを設けることで、操作卓側よりＶＮＣサーバがインストールされたコンピュータ本体を遠隔操作できる監視制御システム。
【請求項２】
前記スイッチングハブには、スピーカ接続用のステレオ・ジャック（ＶｏＩＰ機能付き）やＵＳＢ  Ｉ／Ｆを組み込み、警報音データやＭＯ等の他の外部装置の情報伝送制御を両スイッチングハブ間で１対１に伝送制御することを特徴とする請求項１に記載の監視制御システム。
【請求項３】
前記操作卓が光伝送の広域ネットワークを通してデータセンターに設置の前記コンピュータ本体と情報伝送を行う場合、前記スイッチングハブはルータとＯＮＵを介して広域ネットワーク接続することを特徴とする請求項１または２に記載の監視制御システム。
【発明の詳細な説明】
【技術分野】
【０００１】
本発明は、操作卓とコンピュータ本体を遠隔設置した監視制御システムに係わり、特に操作卓とコンピュータ本体との間の情報伝送方式に関する。
【背景技術】
【０００２】
この種の監視制御システムの構成例を図３に示す。監視室１００には複数台の操作卓１０１、１０２を配置し、コンピュータ室２００にはコンピュータ本体を配置し、これらの間にはイーサネット（登録商標）の１００ＢＡＳＥ−ＴＸ等の伝送路によって各種情報の送受信を可能にする。操作卓１０１，１０２には、操作卓用コンピュータ１を中枢部とし、モニタ（ＬＣＤ）２、マウス３、キーボード４，ＰＯＫ５、ＭＯ６等の外部装置が接続され、さらにリレーユニット７、端子台ユニット８、警報ユニット９、分電ユニット１０等の入出力装置が設けられている。
【０００３】
コンピュータ室２００には、監視制御用コンピュータ２１、情報管理用コンピュータ２２を設け、これらコンピュータ２１、２２と操作卓用コンピュータ１とはハブ（ＨＵＢ）２３、２４を通して表示／操作情報の通信を行い、端子台ユニット８ではＤＩ／ＤＯ情報（二重化システムのマスタ／スレーブ切替接点、監視制御システム各装置の故障接点）を入出力する。
【０００４】
監視制御用コンピュータ２１、情報管理用コンピュータ２２は、中位、下位の遠方監視制御装置との監視制御情報を処理し、これら情報は操作卓用コンピュータ１を介して、操作卓のモニタ、キーボード、マウスへ表示／操作情報として入出力される（例えば、特許文献１参照）。
【０００５】
このシステムにおいて、ハブ２３、２４と操作卓用コンピュータ１をＫＶＭ機能付きスイッチングハブで構成し、操作卓１０１、１０２とコンピュータ室２００との間を長距離伝送路で接続することで、コンピュータ本体を埃やゴミで散らかった場所から離れた、安全、清潔、セキュリティの充実した環境におくことができる。
【特許文献１】特開２００１−３２５１５７号公報
【発明の開示】
【発明が解決しようとする課題】
【０００６】
操作卓とコンピュータ本体を遠隔設置した監視制御システムを構築する方法として、これらの間の情報送受信にＫＶＭエクステンダを使うことで、キーボード、モニタ、マウスの信号を伝送し、離れた場所のコンピュータ本体を操作できるが、警報音伝送（スピーカ接続）に対応していなかったり、ＨＵＢ機能がなかったりと、監視制御システムに使用するには機能不足であった。
【０００７】
本発明の目的は、多様なインタフェースと伝送機能をＫＶＭエクステンダに実装することで、コンピュータ本体を操作卓とは離れた場所に設置できるようになり、それにより操作卓を小型軽量化した監視制御システムを提供するところにある。
【課題を解決するための手段】
【０００８】
本発明は、前記の課題を解決するため、操作卓側及びコンピュータ本体側にはＫＶＭ機能付きのスイッチングハブをそれぞれ設け、スイッチングハブにはスピーカー、ＭＯ等の他の外部装置接続用インタフェースを実装する。それにより、操作卓とコンピュータ本体間で表示／操作情報（監視制御情報）を送受信できるようにし、また他の外部装置（スピーカ、ＭＯ等）の情報を、両スイッチングハブ間で１対１伝送制御するようにしたもので、以下の構成を特徴とする。
【０００９】
（１）監視制御システムのコンピュータ本体を、コンピュータ本体とは離れた場所にある操作卓上のキーボード、モニタ、マウスで遠隔操作する構成において、前記操作卓側にはＫＶＭ機能付き（ＶＮＣプロトコル変換機能付き）スイッチングハブを設け、コンピュータ本体側にはＫＶＭ機能付き（ＶＮＣプロトコル変換機能なし）スイッチングハブを設けることで、操作卓側よりＶＮＣサーバがインストールされたコンピュータ本体を遠隔操作できることを特徴とする。
【００１０】
（２）前記スイッチングハブには、スピーカ接続用のステレオ・ジャック（ＶｏＩＰ機能付き）やＵＳＢ  Ｉ／Ｆを組み込み、警報音データやＭＯ等の他の外部装置の情報伝送制御を両スイッチングハブ間で１対１に伝送制御することを特徴とする。
【００１１】
（３）前記操作卓が光伝送の広域ネットワークを通してデータセンターに設置の前記コンピュータ本体との情報伝送を行う場合、前記スイッチングハブはルータとＯＮＵを介して広域ネットワーク接続することを特徴とする。
【発明の効果】
【００１２】
以上のとおり、本発明によれば、操作卓側及びコンピュータ本体側にＫＶＭ機能付きのスイッチングハブをそれぞれ設け、操作卓とコンピュータ本体間で表示／操作情報（監視制御情報）を送受信できるようにする。
【００１３】
また、スイッチングハブにスピーカやＭＯ等の他の外部装置用のインタフェースを実装し、外部機器の情報伝送制御を両スイッチングハブ間で１対１伝送制御することで、コンピュータ本体を操作卓と離れた場所に設置可能となり、操作卓を小型軽量化できる。
【発明を実施するための最良の形態】
【００１４】
図１は、本発明の実施形態を示す監視制御システムの構成図であり、図３と同等の部分は同一符号で示す。操作卓１０１、１０２は、従来の操作卓用コンピュータ１に代えて、ＫＶＭ機能を搭載したスイッチングハブＫＶＭ−ＨＵＢ１１、１３を設ける。
【００１５】
コンピュータ室２００には、従来のハブ２３，２４に代えて、ＫＶＭ機能を搭載したスイッチングハブＫＶＭ−ＨＵＢ２５，２６を設け、操作卓から移動した操作卓用コンピュータ２７、２８を設ける。また、監視制御情報はコンピュータ２１，２２，２７，２８を介してＫＶＭ−ＨＵＢ２５，２６により操作卓１０１，１０２側に伝送される。ＫＶＭ−ＨＵＢ１１、１３、２５、２６間は光伝送路で情報伝送を行う。ＫＶＭ−ＨＵＢ１１には外部装置としてプリンタ１４を接続する。
【００１６】
この構成により、モニタ２の表示情報やマウス３等の操作信号をＫＶＭ−ＨＵＢ１１、１３からＫＶＭ−ＨＵＢ２５，２６を通して操作卓用コンピュータ２７，２８と通信し、コンピュータ室の外からコンピュータ本体にアクセスして情報の表示や制御操作が可能となる。
【００１７】
このような遠隔操作の方法としては、ＶＮＣ（Ｖｉｒｔｕａｌ  Ｎｅｔｗｏｒｋ  Ｃｏｍｐｕｔｉｎｇ）プロトコルがあるが、本実施形態ではキーボード、モニタ、マウス等の信号をＫＶＭ−ＨＵＢ１１，１３がそのままＶＮＣプロトコルに変換し、ＶＮＣサーバがインストールされた操作卓用コンピュータ２７、２８と１対１の通信をすることで、ＶＮＣのようにＨＤＤやＯＳを必要とせず操作卓用コンピュータのモニタ画面を直接表示できる為、操作員はあたかもコンピュータ本体側の操作卓のように扱うことができる。
【００１８】
さらに、ＫＶＭ−ＨＵＢ１１、１３、２５、２６にＶｏＩＰ機能付きのステレオ・ジャックやＵＳＢのＩ／Ｆを実装し、警報音出力やＭＯ等の外部機器の情報伝送制御もできるようにする。なお各ステレオ・ジャック間やＵＳＢ  Ｉ／Ｆ間は各Ｉ／Ｆ毎に１対１伝送となるようにスイッチングハブにて設定を行う。
【００１９】
また、本実施形態では、従来の操作卓に実装していた分電ユニット、警報ユニット、リレーユニット、端子台ユニットを省略でき、操作卓の小型軽量化と製作コストダウンが可能となる。また、操作卓の軽量化に伴い、ガラス製のＯＡ卓の使用も可能となり、より近代的な監視室を提供できる。さらに監視室とコンピュータ室間のＤＩ／ＤＯの工事配線を省略することができる。
【００２０】
図２は、上記のＫＶＭ−ＨＵＢを応用した監視制御システムの他の実施形態を示す。同図は、監視室１００、データセンター３００および監視制御対象機器４００を広域ネットワークで接続したシステム構成である。
【００２１】
この監視制御システムは、多数箇所に設置される監視制御対象機器４００をデータセンター３００で一括管理するものであり、このシステムに対する遠隔操作のための操作卓１０１として、ＫＶＭ−ＨＵＢ１１と広域ネットワーク間の通信にルータ１５とＯＮＵ（Ｏｐｔｉｃａｌ  Ｎｅｔｗｏｒｋ  Ｕｎｉｔ）１６によってネットワーク接続を得る。同様に、データセンター３００のＫＶＭ−ＨＵＢ２５と広域ネットワーク間の通信にルータ２９とＯＮＵ３０によってネットワーク接続を得る。
【００２２】
本実施形態においても、前記の実施形態と同様の作用効果を得ることができる。これに加えて、コンピュータ本体をデータセンター３００に設置し、センターの保守員による２４時間監視することが可能となるし、故障発生時には迅速に復旧させることも可能となる。
【００２３】
さらに、故障予測診断を実行することで、万が一の故障の前兆となる値をキャッチした場合には、即ユーザに通知することも可能となる。また、ユーザからのコンピュータ本体の更新要求に容易に対応可能となる。さらに、ポジション追加等のソフトウェア改造もデータセンターでの作業だけでできるようになる。
【図面の簡単な説明】
【００２４】
【図１】本発明の実施形態を示す監視制御システムの構成図。
【図２】本発明の他の実施形態を示す監視制御システムの構成図。
【図３】従来の監視制御システムの構成図。
【符号の説明】
【００２５】
１００  監視室
２００  コンピュータ室
１０１，１０２  操作卓
２  モニタ
３  マウス
４  キーボード
１１，１３，２５，２６  ＫＶＭ−ＨＵＢ
１４  プリンタ
２１  監視制御用コンピュータ
２２  情報管理用コンピュータ
２７，２８  操作卓用コンピュータ
３００  データセンター
４００  現場シーケンス
【図１】
2008245004.tif 000003
【図２】
2008245004.tif 000004
【図３】
2008245004.tif 000005